(57)【特許請求の範囲】
【請求項１】
軸線回りに回転する永久磁石に対向するように配置され、
前記軸線を中心として環状に形成された環状部と、該環状部に基端が固定されるとともに所定角度毎に前記永久磁石に向かう半径方向に延出するように形成された複数の歯極部と、該複数の歯極部の先端にそれぞれ形成されて前記永久磁石の周面に対向する先端部と、を有するステータコアを備え、該ステータコアの歯極部にコイルが巻回されるステータにおいて、
前記歯極部と前記先端部との間が折曲され、該折曲部に前記コイルの導線を係止する係止部が形成されていることを特徴とするステータ。
【請求項２】
前記ステータコアの前記折曲部に対応する位置に窓部が形成され、前記歯極部の基端側から前記窓部に臨むように係止片が形成されていることを特徴とする請求項１に記載のステータ。
【請求項３】
前記ステータコアの前記折曲部に、プレス成形により前記係止部が形成されることを特徴とする請求項１に記載のステータ。
【請求項４】
請求項１〜３のいずれかに記載のステータと、
前記永久磁石を保持した状態で前記軸線回りに回転可能に支持された軸体と、を備えていることを特徴とするモータ。
【請求項５】
請求項４に記載のモータと、
前記軸体に設けられ、各種情報を記録可能な記録媒体を保持する保持部と、
前記軸体を前記軸線回りに回転可能に支持する軸受部と、を備えていることを特徴とする記録媒体駆動装置。
【発明の詳細な説明】
【技術分野】
【０００１】
本発明は、磁気ディスクなどを駆動するためのスピンドルモータに用いられるステータ、該ステータを有するモータおよび該モータを有する記録媒体駆動装置に関するものである。
【背景技術】
【０００２】
近年、ハードディスクドライブ装置（ＨＤＤ）を用いた情報記録再生装置は、携帯音楽再生装置や携帯電話機などに採用され始めている。特に、携帯型の情報記録再生装置は、その利便性から今後の主流となるものであり、さらなる小型化および薄型化が求められている。これに伴い、ＨＤ（ハードディスク）を駆動するモータの小型化および薄型化の改良がなされてきた。
【０００３】
ここで、一般的なモータを有する記録媒体駆動装置について、図１０から図１２を参照して簡単に説明する。この記録媒体駆動装置４０は、図１０に示すように、コイル４１及びステータコア４２を有するステータ部４３と、永久磁石４４及びハブ４５を有するロータ部４６とを備えている。ハブ４５は、スリーブ４７によって軸線Ｌ回りに回転可能に支持されており、ディスクＤの中心孔に嵌合する嵌合部４５ａが上端に形成されている。これによりハードディスクＤは、ハブ４５に固定されている。また、ハブ４５の外周には、ステータコア４２に所定距離を空けて対向するように永久磁石４４が固定されている。
【０００４】
スリーブ４７は、ベース４８に固定されており、ハブ４５を回転可能に支持している。この際、スリーブ４７とハブ４５との間には、若干の隙間が確保されており、この隙間にオイルＷが充填されている。そして、ハブ４５或いはスリーブ４７の表面には、へリングボーン溝と呼ばれる図示しないラジアル動圧発生溝及びスラスト動圧発生溝が適宜形成されている。これにより、ハブ４５は軸線Ｌ回りに回転したときに、スラスト方向及びラジアル方向にぶれることなく、安定して回転するようになっている。つまり、ハブ４５は、流体動圧軸受によって支持された状態となっている。
【０００５】
上記ステータコア４２は、図１１に示すように、環状に形成されたコアバック４２ａと、該コアバック４２ａに基端側が固定されると共に、半径方向に延出するように形成された複数の歯極部（ティース）４２ｂとを備えている。また、このステータコア４２は、コアバック４２ａ側でベース４８に支持されている。歯極部４２ｂは、軸線Ｌ回りに所定角度毎に形成されており、その数（スロット数）が３の倍数となるように形成されている。例えば、４０度毎に９スロット形成されている。
【０００６】
また、コイル４１は、この複数の歯極部４２ｂの周囲にそれぞれ巻回されている。この際、３相（Ｕ相、Ｖ相、Ｗ相）となるように、３つおきに（間を２つ空けて）巻回されている。このとき、コイル４１とコイル４１との間は渡り線４１ａが架設されている。
【０００７】
このように構成された記録媒体駆動装置４０によりハードディスクＤを駆動させる場合には、まず、コイル４１に三相交流電流を供給してコイル４１に磁界を発生させる。この磁界は、歯極部４２ｂを介して永久磁石４４に作用して、ロータを軸線Ｌ回りに回転させる。これにより、嵌合部４５ａを介してロータ部４６に固定されているディスクＤを回転させることができる。
【０００８】
ところで、上述したようにモータには、今後に向けてより一層の小型化及び薄型化が求められている。ここで、モータを薄型化しようとした場合に、コイル部分の厚みを少しでも薄くするためにコイルの層数（厚み方向の重ね数）を少なくする方法が一つの有効な手段であり、奇数層（望ましくは１層）でコイルを巻き終わりとしたい場合がある。しかしながらコイル４１は、図１２に示すように、渡り線処理をしなければならないため、歯極部４２ｂにおいて２層（偶数）に巻回された後、次の歯曲部４２ｂへと導線が導かれていた。つまり、コイル４１の層数は一般的には偶数となっていた。
【０００９】
そこで、特許文献１のように、歯極部先端の周方向突起部に切欠部を設け、コイルの奇数層巻きを可能にしたものが提案されている。同様に、特許文献２のように、ステータコアの先端部に銅線を引っ掛ける係止部を形成したものも提案されている。
【特許文献１】特開２００３−２３０２４３号公報
【特許文献２】特開２００３−３２４８８６号公報
【発明の開示】
【発明が解決しようとする課題】
【００１０】
ところで、特許文献１のステータでは、歯極部先端の周方向突起部に切欠部（導線係止部）を形成しているため、歯極部にコイル（導線）を巻くときの巻線機の揺動範囲よりもさらに大きい範囲の動きが必要となり、スロットオープン（隣接するスロット間の隙間）を大きくしなければならなかった。したがって、歯極部先端の幅を狭くしなければならず、永久磁石との対向面積が減少してしまうため、ステータコアに入る磁束量が減少し、モータのトルクが低下してしまう虞があった。また、スロットオープンが大きくなるため、コギングトルクが増加する虞があった。
また、特許文献２のステータでは、巻線機の揺動範囲は広がらないが、ステータコアの先端部に係止部を設けることにより、特許文献１の場合と同様に歯極部先端の永久磁石との対向面積が減少するために、ステータコアに入る磁束量が減少し、モータのトルクが低下してしまう虞があった。
【００１１】
一方、記録媒体駆動装置（モータ）の更なる薄型化を実現する方法として、コイルが巻回された歯極部をベース側にクランク状に折曲したものが知られている。このとき、永久磁石と歯極部先端とは対向部分において厚み方向の中心位置が略一致した状態である。このように構成したステータに、上述した方法のように奇数巻きしたコイルの導線を、歯局部先端で係止して折り返すように架設すると、ステータコアの上面に導線が露出するようになり、導線１本の外径分だけ厚みが増大してしまう問題があった。
【００１２】
そこで、本発明は、上記事情を鑑みてなされたものであり、モータのトルクを低下させることなく薄型化を図ることができるステータ、モータおよび記録媒体駆動装置を提供するものである。
【課題を解決するための手段】
【００１３】
上記の課題を解決するために、本発明は以下の手段を提供する。
本発明に係るステータは、軸線回りに回転する永久磁石に対向するように配置され、前記軸線を中心として環状に形成された環状部と、該環状部に基端が固定されるとともに所定角度毎に前記永久磁石に向かう半径方向に延出するように形成された複数の歯極部と、該複数の歯極部の先端にそれぞれ形成されて前記永久磁石の周面に対向する先端部と、を有するステータコアを備え、該ステータコアの歯極部にコイルが巻回されるステータにおいて、前記歯極部と前記先端部との間が折曲され、該折曲部に前記コイルの導線を係止する係止部が形成されていることを特徴としている。
【００１４】
この発明に係るステータにおいては、まず、ステータコアを形成する。つまり、珪素鋼板などの磁性体の平板を加工して、環状部と複数の歯極部と先端部とからなるステータコアを複数形成する。そして、先端部と歯極部との間をクランク状に折り曲げると同時に係止部が形成される。
このステータコアにコイルを巻回する場合、コイルは３相（Ｕ相、Ｖ相、Ｗ相）を構成するため、３本の導線を用いて巻回される。ある一つの歯極部にコイルを１層巻回した後、導線を係止部に係止して折り返し、ステータコアの環状部側に延設する。
【００１５】
このように構成することで、コイルを歯極部に巻回したステータをベースに取り付けると、歯極部がクランク状に折曲されているため、コイルの最外周面における記録媒体に面した側の高さが抑えられる。また、折曲部に形成された係止部にコイルの導線を係止することができるため、コイルの奇数層巻きが可能となる。したがって、ステータの薄型化を図ることができる。さらに、ステータコアの先端部における永久磁石との対向面積が減少しないため、ステータコアに入る磁束量が減少せず、モータのトルクが低下することもない。
【００１６】
また、本発明に係るステータは、前記ステータコアの前記折曲部に対応する位置に窓部が形成され、前記歯極部の基端側から前記窓部に臨むように係止片が形成されていることを特徴としている。
このように構成することで、先端部と歯極部との間をクランク状に折曲すると、先端部と歯極部との間に段差が形成される。また、係止片は歯極部に連接して形成されており、この係止片は窓部内に形成されているため、折曲部で折曲されても係止片は折曲されない。つまり、係止片は歯極部と同じ高さのまま位置することになる。したがって、先端部と係止片との間には段差が形成され、その段差内にコイルを係止することができる。結果として、ステータコアを製造する際に、窓部と係止片とを予め設けておけば、窓部に対応した位置を折曲すると同時に係止部を形成することができる。
【００１７】
また、本発明に係るステータは、前記ステータコアの前記折曲部に、プレス成形により前記係止部が形成されることを特徴としている。
このように構成することで、ステータコアをプレス成形するだけで係止部を形成することができる。したがって、簡易な構成で所望のステータを得ることができる。
【００１８】
また、本発明に係るモータは、上記本発明のいずれかに記載のステータと、前記永久磁石を保持した状態で前記軸線回りに回転可能に支持された軸体と、を備えていることを特徴とするものである。
この発明に係るモータにおいては、薄型化したステータを備えているため、モータ自体の薄型化を図ることができる。
【００１９】
また、本発明に係る記録媒体駆動装置は、上記本発明のモータと、前記軸体に設けられ、各種情報を記録可能な記録媒体を保持する保持部と、前記軸体を前記軸線回りに回転可能に支持する軸受部と、を備えていることを特徴とするものである。
この発明に係る記録媒体駆動装置においては、薄型化したモータを備えているため、装置自体の薄型化を図ることができる。
【発明の効果】
【００２０】
本発明に係るステータによれば、コイルを歯極部に巻回したステータをベースに取り付けると、歯極部がクランク状に折曲されているため、コイルの最外周面における記録媒体に面した側の高さが抑えられる。また、折曲部に形成された係止部にコイルの導線を係止することができるため、コイルの奇数層巻きが可能となる。したがって、ステータの薄型化を図ることができる効果がある。さらに、ステータコアの先端部における永久磁石との対向面積が減少しないため、ステータコアに入る磁束量が減少せず、モータのトルクが低下することもない。
また、本発明に係るモータおよび記録媒体駆動装置によれば、上述のステータを用いることで薄型化を図ることができる効果がある。
【発明を実施するための最良の形態】
【００２１】
（第一実施形態）
次に、本発明に係るステータ、モータおよび記録媒体駆動装置の第一実施形態を図１〜図５に基づいて説明する。
図１に示すように、記録媒体駆動装置１は、各種情報を記録可能なハードディスク（記録媒体）Ｄを軸線Ｌ回りに回転駆動するスピンドルモータ（モータ）２と、該スピンドルモータ２の後述するハブ（軸体）４に設けられハブ４を軸線Ｌ回りに回転可能に支持する流体動圧軸受部（軸受部）３とを備えている。
【００２２】
スピンドルモータ２は、軸線Ｌ回りに回転可能に支持されたハブ４と、該ハブ４に保持された環状の永久磁石５と、該永久磁石５の周囲を囲むように配置されたステータ６とを備えたインナーロータ型のモータで構成されている。
【００２３】
ハブ４は、軸線Ｌを中心として略円柱状に形成されたシャフト部４ａと、該シャフト部４ａの外周面から半径方向外方に延びて形成され、後述するスリーブ３ａの鍔部３ｂを上下から挟み込むように形成されたフランジ部４ｂと、上記ハードディスクＤを嵌合保持する嵌合部（保持部）４ｃと、を備えている。嵌合部４ｃはハブ４の上端に形成され、ハードディスクＤの中心孔に挿通されて、該ハードディスクＤを嵌合保持するように構成されている。また、永久磁石５は、半径方向に沿った断面積が矩形状になるように形成されており、その外周面が軸線Ｌに平行な方向の面となっている。この永久磁石５は、フランジ部４ｂによって保持されている。
【００２４】
上記流体動圧軸受部３は、カップ状に形成され、基端部がベース７によって固定されたスリーブ３ａと、該スリーブ３ａと上記ハブ４との間に供給されたオイルＷとを備えている。このスリーブ３ａは、内側が断面円形状に形成されて上記シャフト部４ａが収容される収容部となっている。また、スリーブ３ａの上端には、半径方向外方に延びて形成された鍔部３ｂが形成されている。また、このスリーブ３ａとハブ４との間には、微小な隙間が空くように設計されており、その隙間にオイルＷが供給されている。なお、このオイルＷは、図示しないシールによって、永久磁石５側に漏れないようになっている。
【００２５】
また、フランジ部４ｂに対向する鍔部３ｂの上下の外表面には、へリングボーン溝と呼ばれる図示しないスラスト動圧発生溝が複数形成されている。また、スリーブ３ａの外周面に対向するシャフト部４ａの外表面にも同様に、図示しないヘリングボーン溝と呼ばれるラジアル動圧発生溝が複数形成されている。これにより、ハブ４が回転したときに、オイルＷがこれらスラスト動圧発生溝およびラジアル動圧発生溝に沿って流れて圧力が高まり、ハブ４が安定して回転するようになっている。すなわち、これらスラスト動圧発生溝およびラジアル動圧発生溝は、流体動圧軸受部３を構成する一部である。
【００２６】
上記ステータ６は、永久磁石５の周囲を囲むように配されており、ステータコア１１とコイル１２とを備えている。ステータコア１１は、プレスなどにより打ち抜かれた磁性体（珪素鋼板など）が積層（例えば、２層）されて表面が図示しない絶縁膜でコーティングされたものである。また、ステータ６の上面側（ハードディスクＤ側）にはステータ６をカバーするようにシールド板１３が設けられている。なお、シールド板１３は設けなくてもよい。
【００２７】
図２に示すように、ステータコア１１は環状に形成されたコアバック１１ａと、ティース（歯極部）１１ｂとを有している。なお、図３はステータコア１１およびコイル１２の背面詳細図であり、図４は図３に示すＡ−Ａ線に沿う断面図である。ティース１１ｂは、コアバック１１ａに基端側が固定されるとともに、永久磁石５側に向かう半径方向に延出するように形成され、軸線Ｌを中心として所定角度毎に複数設けられている。また、これら複数のティース１１ｂは、先端が永久磁石５の外周面に対向する先端部１１ｃとなっている。
【００２８】
図４に示すように、ステータコア１１はティース１１ｂと先端部１１ｃとの境界部がクランク状に折曲され傾斜した折曲部１５が形成されている。なお、ティース１１ｂはコアバック１１ａ側がハードディスクＤから離間する方向に折曲されている。また、ベース７におけるティース１１ｂに対応した位置には、貫通孔７ａが形成されている。このように構成することで、コイル１２が巻回されたティース１１ｂ部分を貫通孔７ａ内に配置させることができ、記録媒体駆動装置１（モータ２）の薄型化を図ることができる。
【００２９】
図３に示すように、積層されたステータコア１１のうち、下面（ベース７側）に位置しているステータコア５２の折曲部１５には、平面視略矩形状の窓部１６が形成されている。また、窓部１６におけるティース１１ｂの基端側からこの窓部１６を臨むように突状の係止片１７が形成されている。ステータコア５２を折曲部１５において折曲しても、係止片１７は折曲されず、ティース１１ｂと同じ高さのまま位置するようになっている。したがって、係止片１７と折曲部１５との間の隙間がコイル１２を係止するための係止部１８として機能するようになっている。
【００３０】
また、積層されたステータコア１１のうち、上面（ハードディスクＤ側）に位置しているステータコア５１も、ステータコア５２と同様に折曲され、ステータコア５１とステータコア５２とが密着するように積層されている。なお、ステータコア５１には、窓部や係止片は形成されていない。このように積層されたステータコア１１のティース１１ｂに導線が巻回されてコイル１２として構成されている。そして、このように構成されたステータ６は、図４に示すように、コアバック１１ａの下面がベース７上に載置された状態で固定される。
【００３１】
なお、本実施形態では、ティース１１ｂが３の倍数である９個（軸線Ｌ回りに４０度毎）形成されているステータコア１１を例に挙げて説明する。
図５に示すように、コイル１２は、複数のティース１１ｂの周囲にそれぞれ巻回されている。この際、３相（Ｕ相、Ｖ相、Ｗ相）となるように、一本の導線が３つおきに（間を２つ空けて）巻回されている。つまり、ティース１０１に同一の一本の導線が巻回されてＵ相を構成し、ティース１０２に別の一本の導線が巻回されてＶ相を構成し、ティース１０３にさらに別の一本の導線が巻回されてＷ相を構成している。
【００３２】
具体的には、図示しない巻き線機により１つのティース１１ｂ（例えば、ティース１０１）に導線が１層巻回されて（図４参照）、１つ目のコイル１２が形成される。このとき、導線はティース１１ｂにおける軸線Ｌ側とは反対側（コアバック１１ａ側）から軸線Ｌ側に向かって巻回される。コイル１２が形成されると、導線を係止部１８に引っ掛けるようにして折り返し、コアバック１１ａ方向へと延設する。ここで、係止部１８で折り返された導線（渡り線２３）は、平面視においてコイル１２と重ならないようにコアバック１１ａ方向へ延設されている。なお、導線は、平面視においてコイル１２と重なるように下側のステータコア５２の表面に巻回されているコイル１２の下側を通過するようにしてコアバック１１ａ方向に延設されていてもよい。
【００３３】
そして、コアバック１１ａにて図示しない案内部により導線を渡り線２３として次の同相のティース１１ｂへと案内する。つまり、渡り線２３は、反時計回りにコアバック１１ａに沿うように周方向に導かれ、１つ目のコイル１２が形成されたティース１１ｂから反時計回りに数えて３番目のティース１１ｂへと導かれる。そして、当該３番目のティース１１ｂに導線が再び巻回されて２つ目のコイル１２が形成される。
【００３４】
２つ目のコイル１２が形成されると、導線はその２つ目のコイル１２が形成されたティース１１ｂから反時計回りに数えて３番目のティース１１ｂへと導かれる。そして、当該３番目のティース１１ｂに導線が再び巻回されて３つ目のコイル１２が形成される。３つ目のコイル１２からの渡り線２３は、図示しない回路基板へと導かれて回路基板上の共通グランド端子にハンダによりその端部（終端）が接合される。なお、渡り線２３（導線）のもう一方の端部（始端）は回路基板上のＵ相に対応した接続端子に接合される。また、回路基板には、３つの接続端子（Ｕ相、Ｖ相、Ｗ相）と１つの共通グランド端子が形成されている。
【００３５】
次に、まだコイル１２が形成されていない６つのティース１１ｂのうち、３つおきに配列形成された３つのティース１１ｂ（ティース１０２）に、一本の導線で３つのコイル１２が順次形成された後、導線（渡り線２３）の両端が回路基板の接続端子（Ｖ相）および共通グランド端子に接続される。そして、３つおきに配列された残り３つのティース１１ｂ（ティース１０３）にも３つのコイル１２が順次形成された後、導線（渡り線２３）の両端が回路基板の接続端子（Ｗ相）および共通グランド端子に接続されてステータ６の製造が終了する。
【００３６】
その後、図４に示すように、ステータ６の最下面のコアバック１１ａをベース７に当接させて、ステータ６がベース７に取り付けられる。このとき、ステータ６はベース７に圧入や接着により取り付けられる。
【００３７】
また、ステータ６をベース７に取り付ける際に、コイル１２が巻回されたティース１１ｂ部が、平面視においてベース７に形成された貫通孔７ａに一致するようにして取り付ける。このようにすると、下側のステータコア５２のティース１１ｂの表面に巻回されているコイル１２の導線が貫通孔７ａ内に位置するようになる。したがって、記録媒体駆動装置１（モータ２）の厚みを抑えることができ、薄型化を図ることができる。
【００３８】
次に、このように構成された記録媒体駆動装置１の動作について、以下に説明する。
まず、回路基板に形成された共通グランド端子をグランドに接続するとともに、残り３つの接続端子を三相交流電源にそれぞれ接続した後、各渡り線２３を介して各コイル１２に三相交流電流を供給する。すると、ティース１１ｂに巻回されたコイル（Ｕ相、Ｖ相、Ｗ相）１２により、ティース１１ｂが励磁されて磁界が発生する。この磁界により、永久磁石５およびハブ４を軸線Ｌ回りに回転させて、ハードディスクＤを回転させることができる。
【００３９】
またこの際、ステータコア１１は、永久磁石５の外周面に対向する先端部１１ｃをティース１１ｂの先端に有しており、永久磁石５とステータコア１１の先端部１１ｃとの中心軸が略一致するように対向配置されているため、ステータコア１１と永久磁石５との間の磁束の受け渡しが密になる。したがって、ハブ４を効率良く回転させることができる。また、ハブ４の回転に伴って、オイルＷがスラスト動圧発生溝およびラジアル動圧発生溝に沿って流れるので圧力が高まる。これによりハブ４は、流体動圧軸受部３によってスラスト方向およびラジアル方向の力が支持されているので、滑らかに回転する。
【００４０】
本実施形態によれば、軸線Ｌ回りに回転する永久磁石５に対向するように配置され、軸線Ｌを中心として環状に形成されたコアバック１１ａと、コアバック１１ａに基端が固定されるとともに所定角度毎に永久磁石５に向かう半径方向に延出するように形成された複数のティース１１ｂと、複数のティース１１ｂの先端にそれぞれ形成されて永久磁石５の周面に対向する先端部１１ｃと、を有するステータコア１１が複数枚積層され、積層されたステータコア１１のティース１１ｂにコイル１２が巻回されるステータ６において、ティース１１ｂを、各種情報を記録可能なハードディスクＤが配置される側から離間する方向にクランク状に折曲し、折曲部１５にコイル１２を係止する係止部１８を形成した。
【００４１】
このように構成したため、コイル１２をティース１１ｂに巻回したステータ６をベース７に取り付けると、ティース１１ｂがクランク状に折曲され、コイル１２の最外周面におけるハードディスクＤに面した側の高さが抑えられる。また、折曲部１５に形成された係止部１８にコイル１２の導線を係止することができるため、コイル１２の奇数層巻きが可能となる。したがって、ステータ６の薄型化を図ることができる。さらに、ステータコア１１の先端部１１ｃにおける永久磁石５との対向面積が減少しないため、ステータコア１１に入る磁束量が減少せず、モータ２のトルクが低下することもない。
【００４２】
また、最下面のステータコア５２における折曲部１５に対応する位置に窓部１６を形成し、ティース１１ｂの基端側から窓部１６に臨むように係止部１８として機能する係止片１７を形成した。
このように構成したため、ステータコア１１（５２）の先端部１１ｃとティース１１ｂとの間をクランク状に折曲すると、先端部１１ｃとティース１１ｂとの間に段差が形成される。また、係止片１７はティース１１ｂに連接して形成されており、この係止片１７は窓部１６内に形成されているため、折曲部１５で折曲されても係止片１７は折曲されない。つまり、係止片１７はティース１１ｂと同じ高さのまま位置することになる。したがって、先端部１１ｃと係止片１７との間には段差が形成され、その段差内にコイル１２の導線を係止することができる。つまり、ステータコア１１（５２）を製造する際に、窓部１６と係止片１７とを予め設けておけば、窓部１６に対応した位置を折曲すると同時に係止部１８を形成することができる。
【００４３】
さらに、本実施形態に係るモータ２は、本実施形態に記載のステータ６と、永久磁石５を保持した状態で軸線Ｌ回りに回転可能に支持されたハブ４と、を備えて構成した。
このように薄型化したステータ６を備えているため、モータ２自体の薄型化を図ることができる。
【００４４】
そして、本実施形態に係る記録媒体駆動装置１は、本実施形態に記載のモータ２と、ハブ４に設けられ、ハードディスクＤを保持する嵌合部４ｃと、ハブ４を軸線Ｌ回りに回転可能に支持する流体動圧軸受部３と、を備えて構成した。
このように薄型化したモータ２を備えているため、装置１自体の薄型化を図ることができる。
【００４５】
（第二実施形態）
次に、本発明に係るステータ、モータおよび記録媒体駆動装置の第二実施形態を図６、図７に基づいて説明する。なお、本実施形態は第一実施形態とステータの構成が異なるのみでその他の構成は略同一であるため、同一箇所には同一符号を付して詳細な説明は省略する。
図６に示すように、本実施形態のステータ１０６は、ステータコア１１１がプレスなどにより打ち抜かれた磁性体が２層積層されている。
【００４６】
図７に示すように、積層されたステータコア１１１のうち、下面（ベース７側）に位置しているステータコア１５２におけるティース１１ｂと先端部１１ｃとの境界部が略直角のクランク状に折曲され、折曲部１１５が形成されている。なお、ティース１１ｂはコアバック１１ａ側がハードディスクＤから離間する方向に折曲されている。また、ステータ１０６が載置されるベース７におけるティース１１ｂに対応した位置には、貫通孔７ａが形成されている。このように構成することで、コイル１２が巻回されたティース１１ｂ部分を貫通孔７ａ内に配置させることができ、記録媒体駆動装置１（モータ２）の薄型化を図ることができる。
【００４７】
積層されたステータコア１１１のうち、下面（ベース７側）に位置しているステータコア１５２の折曲部１１５には、係止突起１１７が形成されている。この係止突起１１７がコイル１２の導線を係止するための係止部１１８として機能するようになっている。ここで、ステータコア１５２はプレス成形により製造される。つまり、ステータコア１５２をプレス機にかけるだけで所望のステータコア１５２を得ることができる。
【００４８】
また、積層されたステータコア１１１のうち、上面（ハードディスクＤ側）に位置しているステータコア１５１は、ステータコア１５２の折曲部１１５に対応する位置においてクランク状に折曲され傾斜した折曲部が形成されている。そして、ステータコア１５１とステータコア１５２とが係止突起１１７を除いて密着するように積層されている。このように積層されたステータコア１１１のティース１１ｂにコイル１２が巻回されている。そして、このように構成されたステータコア１１１は、図７に示すように、コアバック１１ａの下面がベース７上に載置された状態で固定される。
【００４９】
本実施形態によれば、積層されたステータコア１１１における下面のステータコア１５２のティース１１ｂに、プレス成形により係止部１１８を形成するようにした。
このように構成したため、ステータコア１５２をプレス成形するだけで係止部１１８を形成することができる。したがって、簡易な構成で所望のステータ１０６を得ることができる。
【００５０】
また、本実施形態に係るモータ２は、本実施形態に記載のステータ１０６と、永久磁石５を保持した状態で軸線Ｌ回りに回転可能に支持されたハブ４と、を備えて構成した。
このように薄型化したステータ１０６を備えているため、モータ２自体の薄型化を図ることができる。
【００５１】
さらに、本実施形態に係る記録媒体駆動装置１は、本実施形態に記載のモータ２と、ハブ４に設けられ、ハードディスクＤを保持する嵌合部４ｃと、ハブ４を軸線Ｌ回りに回転可能に支持する流体動圧軸受部３と、を備えて構成した。
このように薄型化したモータ２を備えているため、装置１自体の薄型化を図ることができる。
【００５２】
（第三実施形態）
次に、本発明に係るステータ、モータおよび記録媒体駆動装置の第三実施形態を図８、図９に基づいて説明する。なお、本実施形態は第一実施形態とモータの構成が異なるのみでその他の構成は略同一であるため、同一箇所には同一符号を付して詳細な説明は省略する。
【００５３】
図８に示すように、記録媒体駆動装置２０１は、ハードディスク（記録媒体）Ｄを軸線Ｌ回りに回転駆動するスピンドルモータ（モータ）２と、該スピンドルモータ２のハブ４に設けられ、ハブ４を軸線Ｌ回りに回転可能に支持する流体動圧軸受部（軸受部）３とを備えている。
【００５４】
スピンドルモータ２は、軸線Ｌ回りに回転可能に支持されたハブ４と、該ハブ４に保持された環状の永久磁石５と、該永久磁石５の内側に配置されたステータ２０６とを備えたアウターロータ型のモータで構成されている。
【００５５】
ハブ４は、シャフト部４ａと、フランジ部４ｂとを備えている。また、ハブ４の上端は、ハードディスクＤを嵌合保持する嵌合部４ｃとなっている。また、永久磁石５は、半径方向に沿った断面積が矩形状になるように形成されており、その内周面が軸線Ｌに平行な方向の面となっている。この永久磁石５は、フランジ部４ｂによって保持されている。
【００５６】
上記流体動圧軸受部３は、スリーブ３ａと、スリーブ３ａとハブ４との間に供給されたオイルＷとを備えている。このスリーブ３ａは、内側が断面円形状に形成されて上記シャフト部４ａが収容される収容部となっている。また、スリーブ３ａの上端には、鍔部３ｂが形成されている。また、このスリーブ３ａとハブ４との間には、微小な隙間が空くように設計されており、その隙間にオイルＷが供給されている。なお、このオイルＷは、図示しないシールによって、永久磁石５側に漏れないようになっている。
【００５７】
また、フランジ部４ｂに対向する鍔部３ｂの上下の外表面には、スラスト動圧発生溝が複数形成されている。また、スリーブ３ａの外周面に対向するシャフト部４ａの外表面にも同様に、ラジアル動圧発生溝が複数形成されている。
【００５８】
上記ステータ２０６は、永久磁石５に囲まれるように永久磁石５の内側に配されており、ステータコア２１１とコイル１２とを備えている。ステータコア２１１は、プレスなどにより打ち抜かれた磁性体（珪素鋼板など）が積層（例えば、２層）されて表面が図示しない絶縁膜でコーティングされたものである。
【００５９】
図９に示すように、ステータコア２１１は環状に形成されたコアバック２１１ａと、ティース（歯極部）２１１ｂとを有している。ティース２１１ｂは、コアバック２１１ａに基端側が固定されるとともに、永久磁石５側に向かう半径方向外方に延出するように形成され、軸線Ｌを中心として所定角度毎に複数設けられている。また、これら複数のティース２１１ｂは、先端が永久磁石５の内周面に対向する先端部２１１ｃとなっている。
【００６０】
ステータコア２１１はティース２１１ｂと先端部２１１ｃとの境界部がクランク状に折曲され傾斜した折曲部２１５が形成されている。なお、ティース２１１ｂはコアバック２１１ａ側がハードディスクＤから離間する方向に折曲されている。そして、折曲部２１５には係止部２１８が形成されている。係止部２１８の構成は、上記第１実施形態の構成または第２実施形態の構成のいずれの構成でもよい。また、ベース７におけるティース２１１ｂに対応した位置には、貫通孔７ａが形成されている。このように構成することで、コイル１２が巻回されたティース２１１ｂ部分を貫通孔７ａ内に配置させることができ、記録媒体駆動装置２０１（モータ２）の薄型化を図ることができる。
【００６１】
本実施形態のようなアウターロータ型のモータにおいても上述した第一実施形態および第二実施形態と同様の係止部２１８を折曲部２１５設けることができる。したがって、第一実施形態および第二実施形態と同様の作用効果が得られる。
【００６２】
尚、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や構成等は一例にすぎず、適宜変更が可能である。
例えば、本実施形態において、ステータコアは２層構造のものを採用した場合の説明をしたが、１層構造や３層以上の構造のものであってもよい。
【図面の簡単な説明】
【００６３】
【図１】本発明の第一実施形態における記録媒体駆動装置の概略構成断面図である。
【図２】本発明の第一実施形態におけるステータの上面図である。
【図３】本発明の第一実施形態におけるステータの部分詳細背面図である。
【図４】図３のＡ−Ａ線に沿う断面図である。
【図５】本発明の第一実施形態におけるコイルの構成を示す説明図である。
【図６】本発明の第二実施形態におけるステータの部分詳細背面図である。
【図７】図６のＢ−Ｂ線に沿う断面図である。
【図８】本発明の第三実施形態における記録媒体駆動装置の略構成断面図である。
【図９】本発明の第三実施形態におけるステータの背面図である。
【図１０】従来の記録媒体駆動装置の概略構成断面図である。
【図１１】従来のステータの構成を示す部分上面図である。
【図１２】図１１のＣ−Ｃ線に沿う断面図である。
【符号の説明】
【００６４】
１，２０１…記録媒体駆動装置  ２…スピンドルモータ（モータ）  ３…流体動圧軸受部（軸受部）  ４…ハブ（軸体）  ４ｃ…嵌合部（保持部）  ５…永久磁石  ６，１０６，２０６…ステータ  １１，１１１，２１１…ステータコア  １１ａ，２１１ａ…コアバック（環状部）  １１ｂ，２１１ｂ…ティース（歯極部）  １１ｃ，２１１ｃ…先端部  １２…コイル  １５，１１５，２１５…折曲部  １６…窓部  １７…係止片  １８，１１８，２１８…係止部  ５２，１５２…ステータコア（最下面のステータコア）  Ｄ…ハードディスク（記録媒体）  Ｌ…軸線
【図１】
0004989373.tif 000002
【図２】
0004989373.tif 000003
【図３】
0004989373.tif 000004
【図４】
0004989373.tif 000005
【図５】
0004989373.tif 000006
【図６】
0004989373.tif 000007
【図７】
0004989373.tif 000008
【図８】
0004989373.tif 000009
【図９】
0004989373.tif 000010
【図１０】
0004989373.tif 000011
【図１１】
0004989373.tif 000012
【図１２】
0004989373.tif 000013